(57)【要約】【課題】容量の大きい受尿容器を容易に男性泌尿器に装着することができ、かつ簡単に外れないようにすることである。【解決手段】男性用受尿器は、受尿容器１０と装着係止具１より成る。受尿容器１０は、柔軟性、伸縮性を有する防水シートより成る平袋状で、外側面１３の上端部にほぼＵ字形の開放口１４が設けられ、内側面に男性泌尿器の挿入口１２が設けられている。この挿入孔１２の周囲に弾性シート１５が固着され、挿入した男性泌尿器の周囲に軽く圧接して男性泌尿器が容器から外れないようにしてある。【選択図】図１
0003161383.tif 000002
【実用新案登録請求の範囲】
【請求項１】
柔軟性、伸縮性及び防水性を有するシートによって形成された縦長袋状の水密性受尿容器と、この受尿容器を人体または着衣に装着可能な係止手段より成る失禁用受尿器において、前記袋状受尿容器の外側面にほぼＵ字形切り欠きを設けて前記受尿容器の上部にほぼＵ字形開放口を形成し、前記袋状受尿容器の内側面の中間部に男性泌尿器を受尿容器内に挿入するためのほぼ円形をした挿入孔を設け、この挿入孔の周囲を取り囲むように弾性部材で補強し男性泌尿器の周囲に弾性的に当接して保持可能としたことを特徴とする失禁用受尿器。
【請求項２】
前記開放口のＵ字形周縁は、前記袋状受尿容器の巾方向のほぼ全長にわたって延びていることを特徴とする請求項１に記載の失禁用受尿器。
【請求項３】
前記内側面に、前記挿入孔に連通するスリットを挿入孔の半径方向に設け、このスリットの周囲を前記弾性部材に連続する弾性部材で取り囲んだことを特徴とする請求項１または２に記載の失禁用受尿器。
【請求項４】
前記開放口の下端縁は、前記挿入口に近接していることを特徴とする請求項１〜３のいずれかに記載の失禁用受尿器。
【請求項５】
前記外側面が前記内側面に設けたスリット及び挿入孔を覆い隠すようにしたことを特徴とする請求項３または４に記載の失禁用受尿器。
【請求項６】
前身頃と後身頃で筒状胴部を形成し、これら前後身頃の下端中央部を接続するクロッチ部の両側縁と、前後身頃の下端縁外周とによって脚挿入部を区画し、前記前身頃の上端部中央からクロッチ部の先端部に延びるほぼ長方形状外面布と内面布を重ね合せて袋状空間を形成し、この袋状空間内に柔軟性、伸縮性及び防水性を有するシートによって形成された縦長袋状の水密性受尿容器を収納したボトム下着において、
前記袋状受尿容器の外側面にほぼＵ字形切り欠きを設けて前記受尿容器の上部にほぼＵ字形開放口を形成し、前記袋状受尿容器の内側面の中間部に男性泌尿器を受尿容器内に挿入するためのほぼ円形をした挿入孔を設け、この挿入孔の周囲を取り囲むように弾性部材で内側面を補強し男性泌尿器の周囲に弾性的に当接して保持可能とし、前記外面布に前記開放口と連通する横方向切り目を設け、前記内面布に前記挿入孔と連通する挿通孔を設けたことを特徴とする失禁用ボトム下着。
【請求項７】
前記内面布に設けた挿通孔は縦方向スリットより成り、このスリットの周囲に弾性部材を貼り付けたことを特徴とする請求項６に記載の失禁用ボトム下着。
【請求項８】
前記受尿容器の開放口のＵ字形周縁は、前記袋状受尿容器の巾方向のほぼ全長にわたって延びていることを特徴とする請求項６または７に記載の失禁用ボトム下着。
【請求項９】
前記受尿容器の内側面に、前記挿入孔に連通するスリットを挿入孔の半径方向に設け、このスリットの周囲を前記弾性部材に連続する弾性部材で取り囲んだことを特徴とする請求項６〜８のいずれかに記載の失禁用ボトム下着。
【請求項１０】
前記受尿容器の開放口の下端縁は、前記挿入口に近接していることを特徴とする請求項６〜９のいずれかに記載の失禁用ボトム下着。
【請求項１１】
前身頃と後身頃で筒状胴部を形成し、これら前後身頃の下端中央部を接続するクロッチ部の両側縁と、前後身頃の下端縁外周とによって脚挿入部を区画したボトム下着において、前記前身頃の上端部中央からクロッチ部の先端部に延びる柔軟性、伸縮性、防水性のある外面シートが所定巾で前身頃の一部として設けられ、この外面シートの内面にほぼ同形同サイズの内面シートが接合されて水密性のある袋状受尿容器を形成し、前記外面シートの上部にほぼＵ字形切り欠きを設けて前記受尿容器の上部にほぼＵ字形開放口を形成し、前記内面シートの中間部に男性泌尿器を受尿容器内に挿入するためのほぼ円形をした挿入孔を設け、この挿入孔の周囲を取り囲むように弾性部材で補強し男性泌尿器の周囲に弾性的に当接して保持可能としたことを特徴とする失禁用ボトム下着。
【請求項１２】
前記開放口のＵ字形周縁は、前記袋状受尿容器の巾方向のほぼ全長にわたって延びていることを特徴とする請求項１１に記載の失禁用ボトム下着。
【請求項１３】
前記内面シートに、前記挿入孔に連通するスリットを挿入孔の半径方向に設け、このスリットの周囲を前記弾性部材に連続する弾性部材で取り囲んだことを特徴とする請求項１１または１２に記載の失禁用ボトム下着。
【請求項１４】
前記開放口の下端縁は前記挿入口に近接していることを特徴とする請求項１１〜１３のいずれかに記載の失禁用ボトム下着。
【請求項１５】
前記外面シートが前記内面シートに設けたスリット及び挿入孔を覆い隠していることを特徴とする請求項１３または１４に記載の失禁用ボトム下着。
【考案の詳細な説明】
【技術分野】
【０００１】
この考案は、男性の失禁用受尿器及びその受尿器を一体化した失禁用ボトム下着に関する。
【背景技術】
【０００２】
従来から失禁対策としてパンツやショーツのクロッチ部に吸水パッドを装着することが一般に行なわれている。しかしながら、この種のパッドは吸水容量即ち蓄尿機能が充分ではなく、またパッドと人体の当接面に水分が滲みだして不快感を与えるばかりでなく衛生的にも好ましくない問題がある。
【０００３】
そこで、例えば特許文献１に開示されているように、耐水性材料で形成した袋状の受尿器が提案されている。この受尿器は、縦に細長い平袋状になっており、一端に設けた導入筒内に男性泌尿器を挿入して尿を袋内に貯留しようとするものである。しかしながら、受尿器の上端部に設けた導入筒内に男性泌尿器を挿入して、導入筒に完全に収納されるよう取り付けるのは、特に高齢者にとって容易でない。さらに受尿器の上からショーツやパンツなどを着用して人体が運動すると、受尿器内で泌尿器が移動し易く、導入筒から泌尿器が外れるおそれがあるため、この公知文献では、パンツの前面から側面に沿って長いポケットを形成し、そのポケットに受尿器を収納して受尿容器を定位置に保持する提案がなされている。しかし、これもパンツ等の構造が極めて複雑になって実用的でない。
【０００４】
さらに、この受尿器を用いる際に、内部に吸水性パッドを挿入しておく提案もなされているが、泌尿器を挿入する導入筒と袋底部の蓄尿部を完全に遮る逆止弁が設けられているため、前記吸水性パッドの交換が容易でない。
【０００５】
特許文献２には、上述の受尿器をより小形化した受尿容器が開示されている。この受尿容器は、男性泌尿器の外周にほぼ沿うように形成された筒状のゴム製品であって、パンツの前面に設けられたポケットに収納されるようになっている。この受尿容器は明らかに蓄尿容量が小さく、またそのままでは所定位置に保持するのが難しいため、パンツにポケットを設けてそこに収納する必要があり、構造が複雑となるほか、受尿容器が小さいため高齢者が自分で取り付けるのが面倒な上、さらにポケットに収納する必要があって、取り扱い性が悪い問題がある。
【先行技術文献】
【特許文献】
【０００６】
【特許文献１】特公昭４８−２２９５９号公報
【特許文献２】特開昭６３−１７４６５０号公報
【考案の概要】
【考案が解決しようとする課題】
【０００７】
そこで、この考案の第１の課題は、容量の大きい受尿器を簡単に男性の泌尿器に装着でき、かつ男性泌尿器が移動しても受尿器が外れないようにすることである。
【０００８】
この考案の第２の課題は、簡単な構造で受尿器をショーツ等のボトム下着と一体化することである。
【課題を解決するための手段】
【０００９】
上記第１の課題を解決するため、この考案は、柔軟性、伸縮性及び防水性シートによって形成された縦長袋状の水密性受尿容器と、この受尿容器を人体または着衣に装着可能な係止手段より成る失禁用受尿器において、前記袋状受尿容器の外側面にほぼＵ字形切り欠きを設けて前記受尿容器の上部にほぼＵ字形開放口を形成し、前記袋状受尿容器の内側面の中間部に男性泌尿器を受尿容器内に挿入するためのほぼ円形をした挿入孔を設け、この挿入孔の周囲を取り囲むように弾性部材を貼り付けて男性泌尿器の周囲に弾性的に当接可能とした構成を採用したのである。
【００１０】
前記開放口のＵ字形周縁は、前記袋状受尿容器の巾方向のほぼ全長にわたって延びるようにしておくのがよい。また、前記内側面に、前記挿入孔に連通するスリットを挿入孔の半径方向に設け、このスリットの周囲を前記弾性部材に連続する弾性部材で取り囲んでおくのがよい。さらに、前記開放口の下端縁は、前記挿入口に近接するように配置するのがよい。そのほか、前記外側面が前記内側面に設けたスリット及び挿入孔を覆い隠すようにしておくのが好ましい。
【００１１】
前記袋状受尿容器のサイズは横巾が約１０ｃｍ〜１５ｃｍ、縦長さが約２０ｃｍ〜３０ｃｍとし、前記挿入孔の径は約２０ｍｍ〜４０ｍｍ、スリットの長さは約１０ｍｍ〜２０ｍｍにしておくのが好ましい。これによって充分な貯尿容量が得られると同時に挿入口の周囲で保持した男性泌尿器に対して受尿容器の内部に充分な余裕があり、男性泌尿器の移動によって受尿容器から泌尿器が外れることがない。
【００１２】
前記第２の課題を解決するために、この考案は、前身頃と後身頃によって筒状胴部を形成し、これら前後身頃の下端縁中央部を接続するクロッチ部の両側縁と、前後身頃の下端縁外周とによって脚挿入部を区画し、前記前身頃の上端部中央からクロッチ部の先端部に延びるほぼ長方形状外面布と内面布を重ね合せて接合した長方形袋状空間を形成し、この袋状空間内に柔軟性、伸縮性及び防水性を有するシートによって形成された水密性のある縦長袋状受尿容器を収納したボトム下着において、前記受尿容器の外側面にほぼＵ字形の切り欠きを設けて前記受尿容器の上部にほぼＵ字形開放口を形成し、前記受尿容器の内側面の中間部に男性泌尿器を受尿容器内に挿入するためのほぼ円形をした挿入孔を設け、この挿入孔の周囲を取り囲むように弾性部材で内側面を補強し男性泌尿器の周囲に当接して保持可能とし、前記外面布に前記開放口と連通する横方向切り目を設け、前記内面布に前記挿入口と連通する挿通孔を設けた構成を採用したのである。
【００１３】
前記受尿容器の開放口のＵ字形周縁が袋状受尿容器のほぼ全巾に延びていること、挿入孔に連通するスリットを設けること、開放口の下端縁を挿入孔に近接させること等は前述の失禁用受尿器と同じであり、袋状受尿容器や挿入孔、スリット等のサイズも同様である。
【００１４】
さらに第２の課題を解決するために、この考案は、前身頃と後身頃によって筒状胴部を形成し、これら前後身頃の下端縁中央部を接続するクロッチ部の両側縁と、前後身頃の下端縁外周とによって脚挿入部を区画したボトム下着において、前記前身頃の上端部中央からクロッチ部の先端部に延びる柔軟性、伸縮性、防水性のある外面シートが所定巾で前身頃の一部として設けられ、この外面シートの内面にほぼ同形同サイズの内面シートが接合されて水密性のある袋状受尿容器を形成し、前記外面シートの上部にほぼＵ字形の切り欠きを設けて前記受尿容器の上部にほぼＵ字形開放口を形成し、前記内面シートの中間部に男性泌尿器を受尿容器内に挿入するためのほぼ円形をした挿入孔を設け、この挿入孔の周囲を取り囲むように弾性部材を貼り付けて男性泌尿器の周囲に弾性的に当接可能とした構成を採用したのである。
【００１５】
前記開放口のＵ字形周縁が袋状受尿容器のほぼ全巾に延びていること、挿入孔に連通するスリットを設けること、開放口の下端縁を挿入孔に近接させること、外面シートでスリットと挿入孔を覆い隠すこと等は前述の失禁用受尿器と同じであり、袋状受尿容器や挿入孔、スリット等のサイズも同様である。
【考案の効果】
【００１６】
この考案によれば、以上のように、袋状受尿容器の外側面に大きな開放口を設け、内側面に男性泌尿器を保持可能な弾性挿入孔を設けたので、受尿容器の設計上充分な容量を持たせることが可能となり、泌尿器が移動する余裕を持たせても受尿容器が外れることがなく、また外側面に大きな開放口を設けたので、これを押し下げることによって男性泌尿器を露出させ排尿することもでき、さらに袋状受尿器に収納した吸水パッドを開放口から容易に取り換えることができる。
【図面の簡単な説明】
【００１７】
【図１】この考案の受尿器の一例を示す斜視図
【図２】同上の特に受尿容器を示す正面図
【図３】同上の縦断面図
【図４】受尿容器に設けた男性泌尿器の挿入孔を示す正面図
【図５】受尿器の使用状態を示す縦断面図
【図６】受尿器の他の例を示す正面図
【図７】失禁用ボトム下着の一例を示す正面図
【図８】同上の縦断面図
【図９】同上の受尿容器の部分を示す拡大正面図
【図１０】同上の縦断面図
【図１１】同上の裏面図
【図１２】同上の使用状態を示す正面図
【図１３】失禁用ボトム下着の他の例を示す正面図
【図１４】失禁用ボトム下着の使用状態を示す縦断面図
【図１５】失禁用ボトム下着の他の使用状態を示す拡大正面図
【考案を実施するための形態】
【００１８】
以下、この考案の実施形態を添付図面に基づいて説明する。図１〜３に示すように、失禁用受尿器は、係止具１と受尿容器１０より成る。受尿容器１０は、柔軟で伸縮性のある耐水性、防水性フィルムまたはシートから形成された水密な平袋から成り、その内側面１１（人体と向き合う面）には、男性泌尿器の挿入孔１２が設けられ、外側面１３の一端部（上端部）はほぼＵ字形に切り欠かれ、容器１０の一端（上端）にほぼＵ字形の開放口１４を形成している。また、容器１０の他端（下端）は水密に閉鎖されている。
【００１９】
前記容器１０を形成する平袋の材料は、織布に合成樹脂コーティングを施した防水布が好ましいが、その他合成樹脂フィルムの単体や織布、編布、不織布等と合成樹脂フィルムとの積層体でもよい。このようなフィルムまたはシート（以下単にシートという）を長方形に切断し、その両側を中央方向に折り返して折り返し部を中央で重ね合せ、市販の紙封筒のように重ね合せ部を接着して筒状体を形成する。この接着にはホットメルト接着フィルムを介在して熱融着するのがよい。この筒状体の他端（下端）を同様に熱融着すると平袋が出来上る。この平袋の外側面１３の上端部を前述のようにＵ字形に切り欠き、内側面１１の中間部（ほぼ中央部が好ましいが、多少上下方向にずれてもよい）に挿入孔１２を形成する。平袋の形状は、縦長の長方形が好ましいが、長円形、台形、ひょうたん形などでもよい。サイズは横巾を約１０ｃｍ〜１５ｃｍ、縦長さを約２０ｃｍ〜３０ｃｍ程度にすると充分な容量が得られる。また、開放口１４となるほぼＵ字形の切り欠きは、他の類似形状例えばほぼＶ字形や逆台形（下辺が短い台形）等を含むものとする。そして、開放口１４のＵ字形周縁は、内側面１１のほぼ全巾にわたって延び、開放口１４の底（下端）は、図２、３の鎖線Ａ−Ａで示すように、後述するスリット１２ａの上端に近接しているがそれよりも上方に位置するようにしておくのが好ましい。即ち、外側面１３の方向から見ると外側面１３のシートによって挿入孔１２及びスリット１２ａが覆い隠されるようにしておくのが好ましい。
【００２０】
前記挿入孔１２の周辺には、復元弾性を有する補強シート１５が内側面１１の外面に固着されている。従って挿入孔１２は、このシート１５と容器１０の内側面１１とを貫通して容器１０内に連通していることになる。この挿入孔１２は図示のようなほぼ円形のほか、楕円形、長円形でもよく、その径（長径及び短径）は平均的な男性泌尿器の外周に軽く密着する程度、例えば約２０ｍｍ〜４０ｍｍ程度に形成する。そして前記補強シート１５の復元弾性によってこの密着状態を維持できるようにする。しかしながら、挿入孔１２の径は必ずしも個々の男性に適合するとは限らないので、孔径を予め小さめに選択しておき、挿入孔１２に連通する半径方向のスリット１２ａを形成しておくのがよい。このスリット１２ａの長さは約１０ｍｍ〜２０ｍｍがよく、図４に示すように、スリット両側のシート１５を巻き上げて孔径を拡げる機能を有する。従って男性泌尿器の大きさに適合できるばかりでなく、容器１０内に泌尿器を挿入し易くし、かつ容器１０内に泌尿器を挿入した状態を保持することができる。このスリットは、符号１２ｂで示すように、半径方向に複数設けることができる。その場合は等間隔に設けるのがよい。なお、補強シート１５は、挿入孔１２及びスリット１２ａの内周縁を男性泌尿器に密着させるために軽く圧接できる弾性を有すればよく、あまり強い弾性を必要としない。強すぎると男性泌尿器の挿入を困難にしたり、痛感を与えたりするからである。その手段としては、例えば合成樹脂シート、ゴムシート、人工皮革、天然皮革、弾性糸から成る密度の高い織布、編成布、不織布など貼り付けるほかに、スリット１２ａ及び挿入孔１２の周囲に合成樹脂やゴムをコーティングしてもよい。これらの弾性部材は、挿入孔１２の半径方向に弾力性を保持できる広さがあれば足り、長方形、長円形、楕円形、ひょうたん形など形状は選ばないが、縦約５０ｍｍ〜７０ｍｍ、横約２５ｍｍ〜４０ｍｍの範囲内がよく、あまり広範囲に補強する必要はない。
【００２１】
前記係止具１は、図示の場合、弾性糸を編成した伸縮性バンド２を容器１０の内側面１１の上端に沿って固着し、バンド２の一端に面ファスナの雄部材３を取り付けた例を示している。この雄部材３は、編成したバンド２のループ部分に係合するので、面ファスナの雌部材は必要ない。
【００２２】
図５に受尿器の使用例を示す。まず、バンド２を腰まわりに巻いて容器１０の挿入孔１２が前面の泌尿器Ｐに対応する位置にくるよう調整し、面ファスナの雄部材３をバンド２に係合して固定する。次に、容器１０の挿入孔１２に泌尿器Ｐを手で挿入して容器１０内に入れる。泌尿器Ｐは弾性補強シート１５によって保持されるため、容器１０の外に脱落することはない。なお必要に応じて綿、不織布、高分子吸水剤等を封入した吸水パッドＢを予め開放口１４から容器１０内に収納しておくのがよい。このようにして受尿器を装着した後、その上からショーツ、パンツ、ブリーフ、トランクス等を着用する。失禁した場合、男性泌尿器Ｐは容器１０内に保持されたままであるから尿は容器１０内に滴下し外に遺漏することはない。吸水パッドＢが尿を吸収して膨満した場合、ショーツ等のウエストバンドを押し拡げてショーツの前面から容器１０の大きな開放口１４を通して吸水パッドＢを取り出し、新たな吸水パッドＢと取り換えることができる。また、尿意を催して自発的に排尿したい場合には、開放口１４が外側面１３の上端からスリット１２ａ（内側面１１に設けられた）の近くまで延びているので、開放口１４の周縁を手で押し下げると、挿入孔１２から突出する泌尿器Ｐを容器１０から露出させることができる。従って便器等へ直接排尿することができる。
【００２３】
図６は係止具１の他の例を示す。図示のように、容器１０に上端に沿って面ファスナの帯状雄部材４が取り付けられている。一方、ショーツ等のウエストバンド（ショーツ着用時に人体の胴部に保持するための伸縮バンド）が細かいループを有する編成バンドである場合、図示の雄部材４をこのウエストバンドに直接係合して容器１０をショーツ内にそのまま取り付けることができる。またショーツのウエストバンド近辺に予め面ファスナの雌部材を取り付けておいてもよい。さらに、図６の雄部材４に代えてフックを取り付けショーツの胴部上端縁に引掛けて係止してもよい。要は、人体また着衣に受尿容器１０を取り付けることができる係止手段であればいずれでもよい。
【００２４】
次に、上述のように失禁用受尿器をショーツやパンツ等と一体化した例を図７以下に基づいて説明する。図７及び図８に示すように、パンツ３０は、前身頃３１及び後身頃３２から形成された中空筒状の胴部と、前身頃３１の下端部から後身頃３２の下端部まで延びて人体の股部に対応するクロッチ部３３から成り、胴部の両側下端には人体の大腿部を挿入する中空脚部３４が設けられている。また、胴部上端の全周には、伸縮弾性を有するウエストバンド３５が固着されている。
【００２５】
前記前身頃の中央部には、前述の容器１０の外側面１３の巾に相当するほぼ長方形状の外面布３１ａが、ウエストバンド３５の下縁からクロッチ部３３の一端まで延び、前身頃の一部となっている。またこの外面布３１ａの裏面には、これとほぼ同形、同サイズの内面布３１ｂの周縁が縫着され、その部分が二重になって袋状空間３１ｃが形成されている。この袋状空間３１ｃの内部に、前述の図１乃至図４と同様の構成を有する受尿容器１０が取り付けられている。図中、符号１１は受尿容器１０の内側面、１３は外側面、１２は挿入孔、１４は開放口、１５は補強シートである。そして外側面１３及び内側面１１の外周縁は、それぞれ外面布３１ａ及び内面布３１ｂに縫着や融着手段によって固着されている。
【００２６】
図９、図１０に示すように、前記外面布３１ａには、受尿容器１０の開放口１４を形成する外側面１３のＵ字形切り欠きに対応して、横方向のＵ字形切り目３１ｄがほぼ巾方向の全巾にわたって形成され、この切り目３１ｄに沿って外側面１３のＵ字形切り欠き縁が固着されている。この切り目３１ｄの部分で外面布３１ａは上下に分離して、前記受尿容器１０の開放口１４に対応する開口が形成される。従って袋状空間３１ｃの開口と受尿容器１０の開放口１４は連通している。そして一方（上方）の外面布３１ａの下端縁３１ｅを図９、図１０のように切り目３１ｄを被うように他方（下方）の外面布３１ａに重ね合せて袋状空間３１ｃの開口を隠すようにしておくのが好ましい。
【００２７】
図１０、図１１に示すように、前記内面布３１ｂには、受尿容器１０に設けた挿入孔１２に対応して、挿通孔３７が設けられている。この挿通孔３７は、パンツ３０の内部から男性泌尿器を受尿容器１０に収納するための連通路であって、図１１に示すように、縦方向のスリットが好ましいが、多少の巾を持たせるのがよい。さらに、この挿通孔３７の周囲は、前記補強シート１５と同様の材料から成る補強シート３６によって補強しておくのが好ましい。
【００２８】
上記のようなパンツ３０を使用する場合、パンツ３０を着用しながら、または着用した後に、図１０のように男性泌尿器Ｐを内面布３１ｂの挿通孔３７に通しさらに受尿容器１０の挿入孔１２から受尿容器１０内に収納する。この状態で失禁したときは、前述のように水密性のある受尿容器１０内に尿が滴下し、パンツ３０を濡らすことがない。また、外部に排泄したいときは、図１２の鎖線で示すように、パンツ３０の前身頃３１ａに設けた切り目３１ｄを被う重ね合せ部の下端縁３１ｅを手指で持ち上げると、袋状空間３１ｃ（図１０）の開口を形成する切り目３１ｄが現れる。そこで切り目３１ｄを押し下げると、切り目３１ｄに沿って固着されている受尿容器１０の開放口１４の前縁（Ｕ字形切り欠き縁）も同時に押し下げられるため、受尿容器１０内に収められた泌尿器Ｐがパンツ３０の前身頃３１ａから露出する。そこで適当な便器に排泄すればよい。なお、受尿容器１０内に前述した吸水パッドＢを収納した場合は、同様の手順で取り換えることができる。
【００２９】
次に、失禁用受尿器をショーツやパンツ等と一体化した他の例を図１３以下に基づいて説明する。図１３及び図１４に示すように、パンツ３０は、前身頃３１及び後身頃３２から形成された中空筒状の胴部と、前身頃３１の下端部から後身頃３２の下端部まで延びて人体の股部に対応するクロッチ部３３から成り、胴部の両側下端には人体の大腿部を挿入する中空脚部３４が設けられている。また、胴部上端の全周には、伸縮弾性を有するウエストバンド３５が固着されている。なお、図１３中鎖線で示す部分は、前身頃３１と後身頃３２の下端縁外周及びクロッチ部３３の両側縁で区画される脚挿入部３４ａであって、パンツの場合はこの脚挿入部から脚部３４が延びているが、ショーツの場合はこの脚挿入部３４ａで切断されている。
【００３０】
前記前身頃の中央部には、前述の容器１０の外側面１３に相当するほぼ長方形状の外面シート４３が縫着され、前身頃３１の一部となっている。この外面シート４３は、ウエストバンド３５の下縁からクロッチ部３３の一端まで延び、その長さは約２０ｃｍ〜３０ｃｍ程度、横巾は約１０ｃｍ〜１５ｃｍ程度（前記受尿容器１０のサイズを参照）にしておくのがよい。この外面シート４３の上端部には、ほぼＵ字形の切り欠きが設けられ、Ｕ字形の開放口４４が形成されている。切り欠きの形状は、実質的にＵ字形のもの例えばほぼＶ字形や台形でもよく、その上端縁の巾（横方向長さ）は外面シートの巾とほぼ同じになっており、切り欠きの下端（底）は後述する挿入孔４２に設けたスリット４２ａよりも上方に位置している。
【００３１】
前記外面シート４３の裏面側（パンツ３０の内面側）には、外面シート４３とほぼ同形同サイズの内面シート４１が固着されている。即ち外面シート４３の両側縁部と内面シート４１の両側縁面をホットメルト接着剤で熱融着し、面シートの下端縁部を同様に熱融着して平袋状受尿容器４０を形成する。この外面シート４３と内面シート４１は、柔軟性、伸縮性のある防水シート、例えば防水布で形成され、前記のような熱融着部は防水性が高いので、前記受尿容器４０の水密性は完全に維持される。なお、内面シート４１は、外面シート４３に対してある程度のふくらみ（余裕）を持たせるために、５〜２０％程度サイズを大きくしておくのが好ましい。
【００３２】
前記内面シート４１の中間部（ほぼ中央部が好ましいが多少上下左右にずれてもよい）には、男性泌尿器の挿入孔４２と、この挿入孔に連通するスリット４２ａが形成されている。挿入孔４２はほぼ円形で、スリット４２ａは挿入孔４２の半径方向に設けられている。挿入孔４２の径は約２０ｍｍ〜４０ｍｍ、スリット４２ａの長さは約１０ｍｍ〜２０ｍｍ程度が適当である。この挿入孔４２とスリット４２ａの周縁から内側方向（挿入孔４２の中心方向）に弾力性も付与できる補強シート４５が貼り付けられている。補強シート４５の材料及び貼り付ける範囲は、前記補強シート１５と同様である。
【００３３】
上記のようなパンツ３０を着用するには、図１４に示すように、パンツ３０を履いた後、挿入孔４２内に男性泌尿器Ｐを押し込む。挿入孔４２はスリット４２ａがあるため簡単に拡がり、泌尿器Ｐを受尿容器４０内に容易に収納することができる。また、容器４０は充分な大きさがあり、挿入孔４２の周囲で軽く男性泌尿器Ｐに圧接して支持しているため、男性泌尿器Ｐが多少移動しても容器４０から外れることがない。このとき、内面シート４１のサイズを外面シート４３より大きくして余裕を持たせておくと、泌尿器Ｐが受尿容器４０から外れるのをよりよく防止することができる。また失禁しても、受尿容器４０は水密でかつ充分な容量があるため、容器外部に遺漏することがない。この際前述のように、吸水パッドを容器４０内に収納しておくとなおよい。この吸水パッドは、大きな開放口４４から直接容器４０内に出し入れできる。排尿の欲求が生じたときは、図１５に示すように、開放口４４のほぼＵ字状下縁を図の鎖線で示すごとく手で押し下げる。外面シート４３は柔軟性、伸縮性のある防水布等で形成されているため、容易に伸長して、図示のように挿入孔４２の下方まで押し下げると、泌尿器Ｐが内側から露出するため、泌尿器Ｐを手で保持しながら適当な便器に排泄すればよい。この操作は、開放口４４が充分な大きさを有しかつその下端がスリット４２ａと近接しているため、上述のような外面シート４３の材質とあいまって高齢者でも容易に行なうことができる。なお、開放口４４の下端は、スリット４２ａに近接しているがそれよりも上方に位置するようにし、外面シート４３でスリット４２ａ及び挿入孔４２を覆い隠して外部から見えないようにしておくのがよい。
【００３４】
この考案は、上述したパンツばかりでなく、ショーツ、ブリーフ、トランクス等のボトム下着に適用することができる。
【符号の説明】
【００３５】
１  係止具
２  ウエストバンド
３  面ファスナの雄部材
４  面ファスナの帯状雄部材
１０  受尿容器
１１  内側面
１２  挿入孔
１２ａ、１２ｂ  スリット
１３  外側面
１４  開放口
１５  補強シート
３０  パンツ
３１  前身頃
３１ａ  外面布
３１ｂ  内面布
３１ｃ  袋状空間
３１ｄ  Ｕ字形切り目
３１ｅ  重ね合せ部の下端縁
３２  後身頃
３３  クロッチ部
３４  脚部
３４ａ  脚挿入部
３５  ウエストバンド
３６  補強シート
３７  挿通孔
４０  受尿容器
４１  内面シート
４２  挿入孔
４２ａ  スリット
４３  外面シート
４４  開放口
４５  補強シート
Ａ  開放口の下端
Ｂ  吸水パッド
Ｐ  男性泌尿器
【図１】
0003161383.tif 000003
【図２】
0003161383.tif 000004
【図３】
0003161383.tif 000005
【図４】
0003161383.tif 000006
【図５】
0003161383.tif 000007
【図６】
0003161383.tif 000008
【図７】
0003161383.tif 000009
【図８】
0003161383.tif 000010
【図９】
0003161383.tif 000011
【図１０】
0003161383.tif 000012
【図１１】
0003161383.tif 000013
【図１２】
0003161383.tif 000014
【図１３】
0003161383.tif 000015
【図１４】
0003161383.tif 000016
【図１５】
0003161383.tif 000017